(57)【特許請求の範囲】
【請求項１】
液状物質を吐き出す吐出口を上部に備えたローラー支持部；
前記ローラー支持部の下面上側部に回転可能に配置され、吐出口から吐き出される内容物と接触する第１ローラー部；及び、
前記第１ローラー部と接触するように前記第１ローラー部の一側に配置され、前記ロー  ラー支持部に回転可能に結合される第２ローラー部を含んでなり、
前記第１ローラー部は、前記第２ローラー部が回転する場合、前記第２ローラー部に接  触したままで回転して、前記吐出口から吐き出された内容物を前記第２ローラー部に移送  させることになって、
前記ローラー支持部の上側には、前記第１ローラー部を収容する凹部が形成され、
前記凹部には前記吐出口が連通して形成され、
前記第１ローラー部が二つのローラーでなり、前記第２ローラー部が二つのローラーでなり、
前記第１ローラー部の一ローラーと前記第２ローラー部の一ローラーは互いに接触し、前記第１ローラー部の他のローラーと前記第２ローラー部の他のローラーは互いに接触し、  前記第１ローラー部の一ローラーと他のローラーは互いに離隔し、前記第２ローラー部の一ローラーと他のローラーは互いに離隔していることを特徴とする、二重ローラー部を備えた液状物質塗布アダプダ。
【請求項２】
前記凹部には前記吐出口から吐き出された内容物を収容する陷沒部が形成され、前記吐出口は前記陷沒部に連通して形成されることを特徴とする、請求項１に記載の二重ローラー部を備えた液状物質塗布アダプダ。
【請求項３】
前記第１ローラー部には複数の溝が形成されることを特徴とする、請求項１に記載の二重ローラー部を備えた液状物質塗布アダプダ。
【請求項４】
前記溝は前記第１ローラー部の回転方向に垂直方向または回転方向と同一方向に連続的に形成されることを特徴とする、請求項３に記載の二重ローラー部を備えた液状物質塗布
アダプダ。
【請求項５】
前記溝は前記第１ローラー部の回転方向に垂直方向または回転方向と同一方向に不連続的に形成されることを特徴とする、請求項３に記載の二重ローラー部を備えた液状物質塗布アダプダ。
【請求項６】
前記溝は前記第１ローラー部の回転方向に対して傾いた方向に連続的または不連続的に形成されることを特徴とする、請求項３に記載の二重ローラー部を備えた液状物質塗布アダプダ。
【請求項７】
前記溝は互いに交差することを特徴とする、請求項６に記載の二重ローラー部を備えた液状物質塗布アダプダ。
【請求項８】
前記第１ローラー部には複数の突起が形成されることを特徴とする、請求項１に記載の二重ローラー部を備えた液状物質塗布アダプダ。
【請求項９】
前記第２ローラー支持部にはスリットが形成され、前記スリットを通じて露出された前記第１ローラー部と接触するように前記第２ローラー支持部に回転可能に結合される第２ローラー部を含んでなり、
前記第１ローラー部は、前記第２ローラー部が回転する場合、前記第２ローラー部に接触したままで回転して、前記吐出口から吐き出された内容物を前記第２ローラー部に移送させることを特徴とする、請求項１に記載の二重ローラー部を備えた液状物質塗布アダプダ。
【請求項１０】
前記第１ローラー支持部の吐出口に連通する排出口が形成され、前記第１ローラー支持部に結合される容器を含んでなり、
前記容器の排出口にはポンプが備えられることを特徴とする、請求項１に記載の二重ローラー部を備えた液状物質塗布アダプダを備えた液状物質塗布装置。
【請求項１１】
前記ポンプの一側にはポンプ押圧部が形成され、前記ポンプ押圧部は前記第１ローラー支持部に接触し、前記収容部の上下移動の際、ポンプ押圧部が押圧されることを特徴とする、請求項１０に記載の液状物質塗布装置。
【請求項１２】
前記液状物質塗布アダプダの外面一側には、前記液状物質塗布アダプダを押圧するための傾斜部が形成されることを特徴とする、請求項１１に記載の液状物質塗布装置。
【発明の詳細な説明】
【技術分野】
【０００１】
本発明は液状物質を塗布するアダプダに係り、より詳しくは二重ローラー部で液状物質を均一に塗布することができるアダプダ及び液状物質塗布アダプダに関する。
【背景技術】
【０００２】
従来の液状物質は液状物質が収容された容器から排出させた後、手または筆などを用いて所望の場所に塗布させた。このような液状物質の塗布過程で液状物質は手や服のように使用者が望まない場所に付くことになる問題があった。
【０００３】
したがって、一つのローラーで液状物質を塗布しようとする試みがあった。しかし、一つのローラーのみで液状物質を塗布する場合、液状物質がローラーにあまり多く付くかあるいはあまり少なく付くため、一様に内容物を塗布することができない問題があった。特に、ローラーに液状物質があまり多く付く場合、ローラーが膨潤して回転が容易でない問題があった。
【発明の概要】
【発明が解決しようとする課題】
【０００４】
本発明による二重ローラー部を備えた液状物質塗布アダプダは次のような解決課題を有する。
第一、液状物質を塗布する場合、望まない場所に付かないようにする。
第二、液状物質の塗布の際、所望の場所に均一に塗布することができるようにする。
第三、繰り返し使用の際にもローラーがなだらかに回転するようにする。
また、本発明による液状物質塗布アダプダを備えた液状物質塗布装置は液状物質を一定量だけ排出して均一に塗布することができるようにしようとする。
本発明の解決課題は前述したものに限定されなく、前述しなかった他の解決課題は下記の記載から当業者に明確に理解可能であろう。
【課題を解決するための手段】
【０００５】
本発明による二重ローラー部を備えた液状物質塗布アダプダは、液状物質を吐き出す吐出口を上部に備えたローラー支持部；前記ローラー支持部の下面上側部に回転可能に配置され、吐出口から吐き出される内容物と接触する第１ローラー部；及び、前記第１ローラー部と接触するように前記第１ローラー部の一側に配置され、前記ローラー支持部に回転可能に結合される第２ローラー部を含んでなり、前記第１ローラー部は、前記第２ローラー部が回転する場合、前記第２ローラー部に接触したままで回転して、前記吐出口から吐き出された内容物を前記第２ローラー部に移送させることになって、前記ローラー支持部の上側には、前記第１ローラー部を収容する凹部が形成され、前記凹部には前記吐出口が連通して形成され、前記第１ローラー部が二つのローラーでなり、前記第２ローラー部が二つのローラーでなり、前記第１ローラー部の一ローラーと前記第２ローラー部の一ローラーは互いに接触し、前記第１ローラー部の他のローラーと前記第２ローラー部の他のローラーは互いに接触し、 前記第１ローラー部の一ローラーと他のローラーは互いに離隔し、前記第２ローラー部の一ローラーと他のローラーは互いに離隔していることを特徴とする。
【０００６】
ここで、前記凹部には前記吐出口から吐き出された内容物を収容する陷沒部が形成され、前記吐出口は前記陷沒部に連通して形成されてもよい。
【０００７】
前記第１ローラー部には複数の溝が形成されてもよい。
【０００８】
前記溝は前記第１ローラー部の回転方向に垂直方向または回転方向と同一方向に連続的に形成されてもよい。
【０００９】
前記溝は前記第１ローラー部の回転方向に垂直方向または回転方向と同一方向に不連続的に形成されてもよい。
【００１０】
前記溝は前記第１ローラー部の回転方向に対して傾いた方向に連続的または不連続的に形成されてもよい。
【００１１】
前記溝は互いに交差してもよい。
【００１２】
前記第１ローラー部には複数の突起が形成されてもよい。
【００１３】
前記第２ローラー支持部にはスリットが形成され、前記スリットを通じて露出された前記第１ローラー部と接触するように前記第２ローラー支持部に回転可能に結合される第２ローラー部を含んでなり、前記第１ローラー部は、前記第２  ローラー部が回転する場合、前記第２ローラー部に接触したままで回転して、前記吐出口から吐き出された内容物を前記第２ローラー部に移送させてもよい。
【００１４】
本発明による液状物質塗布装置は、前記液状物質塗布アダプダを備え、前記第１ローラー支持部の吐出口に連通する排出口が形成され、前記第１ローラー支持部に結合される容器を含んでなり、前記容器の排出口にはポンプが備えられることを特徴とする。
【００１５】
ここで、前記ポンプの一側にはポンプ押圧部が形成され、前記ポンプ押圧部は前記第１ローラー支持部に接触し、前記収容部の上下移動の際、ポンプ押圧部が押圧されてもよい。
【００１６】
前記液状物質塗布アダプダの外面一側には、前記液状物質塗布アダプダを押圧するための傾斜部が形成されてもよい。
【発明の効果】
【００１７】
本発明による二重ローラー部を備えた液状物質塗布アダプダは、第２ローラー部で液状物質を塗布することができるようにすることで、液状物質の塗布の際、使用者の服や手のような望まない場所に液状物質が付かないようにする効果があり、第１ローラー部を用いて第２ローラー部に液状物質を均一につけて使うようにすることで、液状物質を均一に塗布することができる効果がある。また、二重ローラー部を用いて繰り返し使用するとき、ローラーが膨潤しないようにする効果がある。
【００１８】
また、本発明による液状物質塗布アダプダを備えた液状物質塗布装置は、ポンプを用いて容器に収容された内容物を一様に排出して均一に塗布することができる効果がある。
本発明の効果は前述したものに限定されなく、前述しなかった他の解決課題は下記の記載から当業者に明確に理解可能であろう。
【図面の簡単な説明】
【００１９】
【図１】本発明による二重ローラー部を備えた液状物質塗布アダプダの斜視図である。
【図２】本発明による二重ローラー部を備えた液状物質塗布アダプダの分解斜視図である。
【図３】（ａ）〜（ｅ）本発明による液状物質塗布装置の第１ローラー部の実施例を示す斜視図である。
【図４】（ｄ）は、本発明による第１ローラー部と第２ローラー部の実施例を示す概念図である。（ａ）〜（ｃ）及び（ｅ）〜（ｇ）は、参考の実施例を示す概念図である。
【図５】本発明の他の実施例による二重ローラー部を備えたアダプダの部分解斜視図である。
【図６ａ】本発明による液状物質塗布アダプダを備えた液状物質塗布装置の斜視図である。
【図６ｂ】本発明による液状物質塗布アダプダを備えた液状物質塗布装置の断面図である。
【図７ａ】本発明の他の実施例による液状物質塗布アダプダを備えた液状物質塗布装置の斜視図である。
【図７ｂ】本発明の他の実施例による液状物質塗布アダプダを備えた液状物質塗布装置の断面図である。
【発明を実施するための形態】
【００２０】
以下、添付図面を参照しながら本発明による二重ローラー部を備えた液状物質塗布装置について具体的に説明する。
図１は本発明による二重ローラー部を備えた液状物質塗布アダプダ（以下、‘アダプダ’という）の斜視図、図２はアダプダの分解斜視図である。
【００２１】
本発明による液状物質塗布装置は、図１に示すように、ローラー支持部１００、第１ローラー部２００、及び第２ローラー部３００を含み、第１ローラー部２００は第２ローラー部３００が回転する場合、前記第２ローラー部３００に接触したままで回転する。
【００２２】
ローラー支持部１００は第１ローラー部２００と第２ローラー部３００を収容するもので、下面には、図２に示すように、内容物が排出される吐出口１１０が形成される。
【００２３】
ローラー支持部１００に収容されるローラー部は、ローラー支持部１００の下面上側部に配置され、吐出口１１０から吐き出される内容物と接触する第１ローラー部２００と、第１ローラー部２００と接触するように第１ローラー部２００の一側に配置された第２ローラー部３００とからなる。
【００２４】
したがって、第１ローラー部２００は、第２ローラー部３００が塗布しようとする面に接触したままで回転する場合、第２ローラー部３００に接触したままで回転し、第１ローラー部２００と第２ローラー部３００の回転の際、第２ローラー部３００は吐出口１１０から吐き出された内容物をその表面につけて第２ローラー部３００に移送させる。
【００２５】
第１ローラー部２００と第２ローラー部３００は軟質素材または硬質素材で形成されることができるが、第２ローラー部３００は軟質素材で形成されることが好ましい。
本発明によるローラー支持部１００の上側には、図２に示すように、第１ローラー部２００を収容する凹部１２０が形成される。
【００２６】
凹部１２０はローラー支持部１００の下面上側部が下方に陥没した構造のもので、第１ローラー部２００を収容するように、第１ローラー部２００の形状に対応する形状に形成される。
【００２７】
このような凹部１２０には、図２に示すように、吐出口１１０が連通して形成され、凹部１２０の吐出口１１０が連通して形成される面には、吐出口１１０から吐き出された内容物が第１ローラー部２００と接触する前に一時とどまるように陷沒部（図示せず）が形成されることが好ましい。
【００２８】
図３（ａ）〜図３（ｅ）は本発明による液状物質塗布装置の第１ローラー部２００の多様な実施例を示す図である。図３（ａ）〜図３（ｅ）を参照して第１ローラー部２００を説明すれば次のようである。
【００２９】
本発明による第１ローラー部２００は実施例によって多様な形状に形成可能であるが、本実施例の場合、図３に示すように、円柱状の第１ローラー部２００が形成される。
【００３０】
このような第１ローラー部２００には複数の溝２１０が形成されることもできる。第１ローラー部２００に形成された溝２１０は、図３の（ａ）に示すように、第１ローラー部２００の回転方向に垂直な方向に形成されることもでき、図３の（ｄ）に示すように、回転方向と同一方向に形成されることもできる。このような溝２１０は、図３（ａ）〜図３（ｄ）に示すように、連続的に形成されることもできるが、実施例によっては不連続的に形成されることもできる。
【００３１】
また、本発明による第１ローラー部２００の溝２１０は、図３の（ｂ）に示すように、第１ローラー部１１０の回転方向に対して傾いた方向に連続的に形成されることもでき、実施例によっては不連続的に形成されることもできる。
【００３２】
第１ローラー部２００の溝２１０が第ローラー部１１０の回転方向に対して傾いた方向に形成される場合、第１ローラー部２００の溝２１０は、図３の（ｃ）に示すように、互いに交差して形成されることもできる。
また、本発明による第１ローラー部２００の外面には、図３の（ｅ）に示すように、複数の突起２２０が形成されることもできる。
【００３３】
このような第１ローラー部２００の外面に形成された溝２１０は実施例によって多様な深みと間隔で形成されることができ、図３の（ｅ）に示す突起２２０も多様な形状に形成されることができる。
【００３４】
図４の（ｄ）は本発明による第１ローラー部２００と第２ローラー部３００のな実施例を示す図面であり、（ａ）〜（ｃ）及び（ｅ）〜（ｇ）は、参考の実施例を示す概念図である。図４を参照して第１ローラー部２００と第２ローラー部３００を具体的に説明すれば次のようである。
また、第１ローラー部２００は円柱状の外に複数の球状に形成されることもできる。
【００３５】
図４の（ｂ）〜図４の（ｇ）に示すように、第１ローラー部２００または第２ローラー部３００の中で少なくとも一つは複数のローラーでなることが好ましい。
【００３６】
参考の実施例の図４の（ｂ）に示すように、第１ローラー部２００が一つのローラーでなり、第２ローラー部３００が二つのローラーでなる場合、第１ローラー部２００のローラーは第２ローラー部３００の一ローラーと他のローラーの間に接触するように配置されることが好ましい。この際、第２ローラー部３００のローラーは互いに離隔していることがより好ましい。
【００３７】
参考の実施例の図４の（ｂ）に示すように、第１ローラー部２００と第２ローラー部３００が配置される場合、第２ローラー部３００の二つのローラーは同一方向に回転し、第２ローラー部３００のローラーに接触する第１ローラー部２００のローラーは、第２ローラー部３００のローラーが回転する場合、反対方向に回転し、吐出口１１０から排出された内容物を第２ローラー部３００のローラーに伝達させる。よって、第２ローラー部３００に伝達された内容物はより広い面積で塗布できる。
【００３８】
また、参考の実施例の図４の（ｃ）に示すように、第１ローラー部２００が二つのローラーでなり、第２ローラー部３００が一つのローラーでなる場合、第１ローラー部２００の一ローラーと他のローラーは第２ローラー部３００のローラーと互いに接触するように配置することが好ましい。この際、第１ローラー部２００の一ローラーと他のローラーは互いに離隔することがより好ましい。
【００３９】
この場合、第１ローラー部２００の一対のローラーは第２ローラー部３００のローラーによって同一方向に回転し、吐出口１１０から吐き出された内容物を第２ローラー部３００のローラーに伝達する。
【００４０】
この際、第１ローラー部２００のローラーは二つで構成されるので、第２ローラー部３００のローラーのより広い面積で吐出口１１０から吐き出された内容物を伝達することができる。
【００４１】
また、本発明の図４の（ｄ）に示すように、第１ローラー部２００が二つのローラーでなり、第２ローラー部３００が二つのローラーでなる場合、第１ローラー部２００の一ローラーと第２ローラー部３００の一ローラーは互いに接触し、第１ローラー部２００の他のローラーと第２ローラー部３００の他のローラーは互いに接触するように配置されることができる。
【００４２】
また、第１ローラー部２００の一ローラーと他のローラーは互いに離隔して配置され、第２ローラー部３００の一ローラーと他のローラーは互いに離隔することがより好ましい。
【００４３】
この場合、吐出口１１０から排出された内容物は第１ローラー部２００の一ローラーと他のローラーにそれぞれ付くことになって第２ローラー部３００の一ローラーと他のローラーに独立的に伝達することができることになる。したがって、第２ローラー部３００が接触する面が平らでない場合にも均一に塗布することができる。
【００４４】
また、参考の実施例の図４の（ｅ）に示すように、第１ローラー部２００が三つのローラーでなり、第２ローラー部３００が一つのローラーでなる場合、第１ローラー部２００の一ローラーは第２ローラー部３００のローラーと接触し、一ローラーの一側と他側には、第２ローラー部３００のローラーから離隔し、一ローラーと互いに接触する第１ローラー部２００の他の二つのローラーが配置されることもできる。
【００４５】
この場合、吐出口１１０から吐き出される内容物は吐出口１１０の上部に配置された一ローラーに付いた後、第１ローラー部２００の他のローラーによって均一に広がってから第２ローラー部３００のローラーに伝達される。
【００４６】
また、参考の実施例の図４の（ｆ）に示すように、第１ローラー部２００が三つのローラーでなり、第２ローラー部３００が一つのローラーでなる場合、第１ローラー部２００の一ローラーの両側には第１ローラー部２１０の一ローラーと接触する第１ローラー部２００の他の二つローラーが配置され、第２ローラー部３００のローラーは第１ローラー部２００の他の二つのローラーと互いに接触するように配置されることができる。
この際、第１ローラー部２００の一ローラーは第２ローラー部３００のローラーから離隔して配置されることが好ましい。
【００４７】
この場合、吐出口１１０から吐き出された内容物は吐出口１１０の上部に配置された第１ローラー部２００のローラーに一次に付いた後、両側に配置されたローラーに均一に伝達された後、第２ローラー部３００のローラーに伝達されるので、第２ローラー部３００のローラーには内容物がより均一に付くことになる。
【００４８】
また、参考の実施例の図４の（ｇ）に示すように、第１ローラー部２００が三つのローラーでなり、第２ローラー部３００が二つのローラーでなる場合、第１ローラー部２００の一ローラーの両側には第１ローラー部２００の他のローラーが離隔して配置されることができる。
【００４９】
この場合、第１ローラー部２００の一ローラーと第１ローラー部２００の他のローラーの間には第２ローラー部３００の一ローラーと他のローラーがそれぞれ配置されて第１ローラー部２００のローラーを回転させることになる。
したがって、第２ローラー部３００のそれぞれのローラーに伝達された内容物は第１ローラー部２００の二つのローラーによって均一に広がることになる。
この際、第２ローラー部３００の一ローラーと他のローラーは互いに離隔することが好ましい。
本発明による第２ローラー部のローラーが複数の場合、それぞれのローラーの回転方向は同一であることが好ましい。
本発明の他の実施例によるアダプダの部分解斜視図である図５を参照してアダプダを説明すれば次のようである。
本発明によるアダプダは、第１ローラー支持部１０００、第１ローラー部２００、第２ローラー支持部１１００及び第２ローラー部３００でなる。
【００５０】
アダプダの構成のうち、第１ローラー部２００及び第２ローラー部３００については前述したので、重複説明を避けるためにその説明を省略し、第１ローラー支持部１０００及び第２ローラー支持部１１００について具体的に説明する。
【００５１】
第１ローラー支持部１０００は上面に内容物が排出される吐出口１１０を備えたもので、第１ローラー支持部１０００の上側には第１ローラー部１００が配置されることができるように凹部１２０が形成され、このような凹部１２０には吐出口１１０が連通して形成される。
【００５２】
第２ローラー支持部１１００は第２ローラー部３００が回転可能に結合されるようにするもので、第２ローラー支持部１１００の上面には、第１ローラー支持部１０００に結合される場合、第１ローラー部２００の一側面が突出するようにスリット１１１０が貫設される。
【００５３】
このような第２ローラー支持部１１００に結合される第２ローラー部３００はスリット１１１０を通して突出した第１ローラー部１００と接触するように結合される。
【００５４】
したがって、第２ローラー部３００が回転する場合、第１ローラー部２００は第２ローラー部３００に接触したままで回転し、吐出口１１０から吐き出された内容物を第２ローラー部３００に移送させることになる。
【００５５】
図１、図２及び図５に示すアダプダには、図６ａ及び図７ａに示すように、吐出口１１０に連通した排出口４１０を備えた多様な容器４００が結合されることができ、この際、容器４００の内部にはポンプ４２０が備えられることができる。
ローラー支持部１０００、第１ローラー部２００及び第２ローラー部３００などは前述したので、重複説明を避けるために容器４００について説明する。
図６及び図７は本発明による液状物質塗布アダプダを備えた液状物質塗布装置の断面図及び斜視図である。
図６及び図７に示すように、容器４００は内部に液状物質を収容するもので、液状物質塗布アダプダの吐出口１１０に連通する排出口４１０が形成される。
このような容器４００の排出口４１０は、図６ｂ及び図７ｂに示すように、ポンプ４２０を備える。
ポンプ４２０は容器４００の内部と外部の圧力差を発生させて容器４００の内部に収容された液状物質を排出させる。
【００５６】
ポンプ４２０の一側には、図６ｂ及び図７ｂに示すように、ポンプ押圧部４２１が形成されることができ、ポンプ押圧部４２１は、図６ｂに示すように、液状物質塗布アダプダの下部、より具体的には第１ローラー支持部１０００に接触するように形成される。
【００５７】
したがって、液状物質塗布アダプダが上下に移動する場合、ポンプ押圧部４２１は液状物質塗布アダプダの第１ローラー支持部１０００によって押圧されて、容器４００の内部に収容された液状物質を排出させる。
【００５８】
この際、液状物質塗布アダプダの外面一側には、図６ａに示すように、液状物質塗布アダプダを押圧することができるように傾斜部１１２０が形成されることが好ましい。
【００５９】
図６ｂに示す実施例の場合、ポンプ押圧部４２１は第１ローラー支持部１０００と接触するように構成されることもでき、他の実施例の場合、つまり図１に示す実施例の場合、ローラー支持部１０００に接触するように形成されることもできる。
【００６０】
このような容器４００の内部はファウンデーション、ＢＢクリーム、紫外線遮断剤のような液状化粧品を収容することもでき、医療用軟膏などの医療用薬剤または接着剤のような多様な液状物質を収容することができる。
【００６１】
また、図７ａ及び図７ｂに示すように、容器４００の内部にポンプ４２０と結合された別途の収容部５００を形成し、第１ローラー支持部１０００を容器４００に結合させることもできる。この際、ポンプ４２０は、図７ａ及び図７ｂに示すように、収容部５００の下部が押圧される場合に作動することになる。
【００６２】
本明細書に開示される実施例と添付図面は本発明に属する技術的思想の一部を例示的に説明するものに過ぎない。したがって、本明細書に開示された実施例は本発明の技術的思想を限定するためのものではなく説明のためのものなので、このような実施例によって本発明の技術思想の範囲が限定されるものではないのは自明である。本発明の明細書及び図面に含まれた技術的思想の範囲内で当業者が容易に類推することができる変形例と具体的な実施例はいずれも本発明の権利範囲に含まれるものとして解釈されなければならないであろう。
【産業上の利用可能性】
【００６３】
本発明は、二重ローラー部で液状物質を均一に塗布することができるアダプダ及び液状物質塗布アダプダに適用可能である。
【符号の説明】
【００６４】
１００    ローラー支持部
１１０    吐出口
１２０    凹部
２００    第１ローラー部
２１０    溝
２２０    突起
２００    第２ローラー部
４００    容器
４１０    排出口
４２０    ポンプ
４２１    ポンプ押圧部
５００    収容部
１０００    第１ローラー支持部
１１００    第２ローラー支持部
１１１０    スリット
１１２０    傾斜部
【図１】
0005528371.tif 000002
【図２】
0005528371.tif 000003
【図３】
0005528371.tif 000004
【図４】
0005528371.tif 000005
【図５】
0005528371.tif 000006
【図６ａ】
0005528371.tif 000007
【図６ｂ】
0005528371.tif 000008
【図７ａ】
0005528371.tif 000009
【図７ｂ】
0005528371.tif 000010